(57)【特許請求の範囲】
【請求項１】
ターンテーブルと光ピックアップとを搭載したトラバースシャーシがローダーシャーシ
内に配置され、該ローダーシャーシの底板部の下面にプリント配線基板からなる制御基板
が固定され、そのローダーシャーシの底板部にケーブル挿通孔が貫設され、該ケーブル挿
通孔に挿通したフレキシブルフラットケーブルの一端部が制御基板に接続されると共に、
そのフレキシブルフラットケーブルの他端部が円弧状に折り返されて前記光ピックアップ
に接続されており、前記ターンテーブルによりディスクを高速回転させ、光ピックアップ
をディスクの半径方向に沿って前後進させると共に、該光ピックアップをフレキシブルフ
ラットケーブルを介して制御することにより、その光ピックアップからディスクにレーザ
光を投射し、その反射光に基づいてディスクに記録されている情報を読み取るようにした
ディスク装置において、前記フレキシブルフラットケーブルの他端部をガイドするための
ガイド部材がローダーシャーシの底板部に一体形成され、該ガイド部材が、光ピックアッ
プの前後進方向とは直交する方向に沿って延びるガイド縦板と、該ガイド縦板の両側縁か
ら光ピックアップの前後進方向に沿って前方に延びる左右一対のガイド横板とからなり、
該両ガイド横板のケーブル対向面がその両ガイド横板の前端からガイド縦板に向かって所
定の傾斜角度で斜め上向きに延びる仮想線に沿って傾斜され、その仮想線に沿って前記ガ
イド縦板の上端に斜め傾斜状のケーブル対向面が形成されており、その両ガイド横板及び
ガイド縦板のケーブル対向面でフレキシブルフラットケーブルの他端部を上方にガイドす
るようにしたことを特徴とするディスク装置。
【請求項２】
前記ローダーシャーシの底板部のケーブル挿通孔から前側のケーブル対向部分が前記ガ
イド部材に向かって所定の傾斜角度で斜め上向きに傾斜されており、その傾斜状ケーブル
対向部分の下面に両面接着テープを介してフレキシブルフラットケーブルが接着されてい
ることを特徴とする請求項１に記載のディスク装置。
【発明の詳細な説明】
【技術分野】
【０００１】
本発明は、例えばＤＶＤレコーダやＤＶＤプレーヤなどのディスク装置に関し、特に、
光ピックアップに接続したフレキシブルフラットケーブルの耐久性を向上させたものであ
る。
【背景技術】
【０００２】
従来、ディスク装置の一例として図５〜図７に示すものがあり、図５は同平面図、図６
は同縦断面図、図７は同要部の拡大縦断面図である。
【０００３】
図５及び図６に示すように、ターンテーブル１付きスピンドルモータ２と対物レンズＯ
Ｌ付き光ピックアップ３とを搭載したトラバースシャーシ４がローダーシャーシ５内に配
置され、該トラバースシャーシ４の後部がゴムからなる後側弾性体６を介してローダーシ
ャーシ５に上下動ａ，ｂ可能に連結され、そのトラバースシャーシ４の前部がゴムからな
る前側弾性体７を介して昇降体８に連結されている。
【０００４】
図５及び図６に示すように、ローダーシャーシ５の前部に横断面略Ｔ字状カムスライダ
１０が矢印ｃ，ｄ方向にスライド可能に配置され、該カムスライダ１０の垂直部に形成し
たカム溝１１ａと、前記昇降体８の前面に一体突設されてカム溝１１ａに嵌入するカムピ
ン１１ｂとからなるカム機構１１によりカムスライダ１０と昇降体８とが連動連結されて
いる。また、カムスライダ１０の一端に一体形成したカムラック１０ａがローダーシャー
シ５の前部に配置した矢印ｅ，ｆ方向に回転可能な駆動ピニオン１２に噛合可能に形成さ
れている。更に、ローダーシャーシ５の上部にディスクＤ載置用トレイ１３が矢印ｇ，ｈ
方向に移動可能に配置され、該トレイ１３の裏面に形成したラック（図示せず）が駆動ピ
ニオン１２に対して噛合可能に形成されれている。
【０００５】
図５及び図６に示すように、前記光ピックアップ３はトラバースシャーシ４の中央開口
部４ａ内に配置された状態でガイドロッド１５に前後進ｉ，ｊ可能に支持され、該光ピッ
クアップ３に設けた歯部３ａがリードスクリュ１６に噛合されており、フィードモータ１
７によりリードスクリュ１６及び歯部３ａを介して光ピックアップ３をディスクＤの最内
周と最外周との間で該ディスクＤの半径方向に沿って前後進ｉ，ｊさせる。なお、図６中
、１９はローダーシャーシ５の両側板間に架設した横桁２０の中央貫通孔２０ａに一定範
囲内昇降可能に配置したクランパである。
【０００６】
図５及び図６に示すように、ローダーシャーシ５の底板部５Ａの下面に複数本の脚部２
２が一体突設され、該各脚部２２にプリント配線基板からなる制御基板２３がビス２４に
より止着され、該制御基板２３の前側と底板部５Ａの中央とにそれぞれケーブル挿通孔２
５，２６が貫設され、該両ケーブル挿通孔２５，２６に挿通したフレキシブルフラットケ
ーブルＦＦＣの一端部がコネクタ２７を介して制御基板２３に接続されると共に、そのフ
レキシブルフラットケーブルＦＦＣの他端部が円弧状に折り返されて前記光ピックアップ
３にコネクタ２８を介して接続されている。
【０００７】
プレイモードでは、図５及び図６の実線で示すように、ディスクＤをターンテーブル１
とクランパ１９とでクランプし、スピンドルモータ２によりターンテーブル１を介してデ
ィスクＤを高速回転させ、光ピックアップ３をディスクＤの半径方向に沿って前後進ｉ，
ｊさせ、フレキシブルフラットケーブルＦＦＣを介して光ピックアップ３を制御すること
により、その光ピックアップ３の対物レンズＯＬからディスクＤにレーザ光を投射し、そ
の反射光に基づいてディスクＤに記録されている情報を読み取る。
【０００８】
トレイオープン時には、図５及び図６に仮想線で示すように、光ピックアップ３をディ
スクＤの最内周まで前進ｉさせて停止させ、駆動ピニオン１２を矢印ｆ方向に回転させる
ことにより、カムラック１０ａを介してカムスライダ１０を矢印ｃ方向にスライドさせ、
カム機構１１及び昇降体８を介してトラバースシャーシ４を下動ｂさせて傾斜姿勢とし、
ディスクＤがターンテーブル１からトレイ１３に移し替えられる。
【０００９】
続いて、駆動ピニオン１２とカムラック１０ａとの噛合状態が解除され、カムスライダ
１０のピン（図示せず）によりトレイ１３が矢印ｇ方向にわずかに移動して該トレイ１３
の裏面に形成したラック（図示せず）が駆動ピニオン１２に噛合され、該駆動ピニオン１
２の矢印ｆ方向への回転に伴ってトレイ１３が矢印ｇ方向に押し出され、そのトレイ１３
上のディスクＤを取り替える。トレイイン時には上記とは逆の手順で操作が行われる。
【００１０】
ディスク装置におけるフルシーク２０万回耐久試験を説明すると、例えば４５Ｐｉｎの
フレキシブルフラットケーブルＦＦＣを有するディスク装置を試験用として複数（例えば
４台）用意し、該各ディスク装置の光ピックアップ３をディスクＤの最内周と最外周との
間で２０万回にわたって前後進ｉ，ｊさせることにより、フレキシブルフラットケーブル
ＦＦＣに断線現象が生じるか否かをチェックする。なお、関連する技術として特許文献１
に記載したものがある。
【特許文献１】特開平１１−２４２８６０号公報
【発明の開示】
【発明が解決しようとする課題】
【００１１】
上記従来の構成では、図７に仮想線で示すように、ディスクＤの最外周まで光ピックア
ップ３を後進ｊさせたときに、フレキシブルフラットケーブルＦＦＣの他端部が下向きに
引っ張られるため、その他端部のコネクタ２８に近い円弧状折り返し部分ＦＦＣａの曲率
半径ｒ１が小さくなって、その円弧状折り返し部分ＦＦＣａが比較的急に曲げられるため
、前述したフルシーク２０万回耐久試験を行った場合、フレキシブルフラットケーブルＦ
ＦＣと光ピックアップ３との境界部分ＰでそのフレキシブルフラットケーブルＦＦＣに対
して比較的大きな曲げ応力が繰り返しかかって、その境界部分Ｐで断線が生じており、フ
レキシブルフラットケーブルＦＦＣの耐久性に問題があった。
【００１２】
本発明は、上記従来の欠点に鑑み、光ピックアップに接続したフレキシブルフラットケ
ーブルの耐久性を向上させたディスク装置を提供することを目的としている。
【課題を解決するための手段】
【００１３】
上記目的を達成するため、請求項１に記載の発明は、ターンテーブルと光ピックアップ
とを搭載したトラバースシャーシがローダーシャーシ内に配置され、該ローダーシャーシ
の底板部の下面にプリント配線基板からなる制御基板が固定され、そのローダーシャーシ
の底板部にケーブル挿通孔が貫設され、該ケーブル挿通孔に挿通したフレキシブルフラッ
トケーブルの一端部が制御基板に接続されると共に、そのフレキシブルフラットケーブル
の他端部が円弧状に折り返されて前記光ピックアップに接続されており、前記ターンテー
ブルによりディスクを高速回転させ、光ピックアップをディスクの半径方向に沿って前後
進させると共に、該光ピックアップをフレキシブルフラットケーブルを介して制御するこ
とにより、その光ピックアップからディスクにレーザ光を投射し、その反射光に基づいて
ディスクに記録されている情報を読み取るようにしたディスク装置において、前記フレキ
シブルフラットケーブルの他端部をガイドするためのガイド部材がローダーシャーシの底
板部に一体形成され、該ガイド部材が、光ピックアップの前後進方向とは直交する方向に
沿って延びるガイド縦板と、該ガイド縦板の両側縁から光ピックアップの前後進方向に沿
って前方に延びる左右一対のガイド横板とからなり、該両ガイド横板のケーブル対向面が
その両ガイド横板の前端からガイド縦板に向かって所定の傾斜角度で斜め上向きに延びる
仮想線に沿って傾斜され、その仮想線に沿って前記ガイド縦板の上端に斜め傾斜状のケー
ブル対向面が形成されており、その両ガイド横板及びガイド縦板のケーブル対向面でフレ
キシブルフラットケーブルの他端部を上方にガイドするようにしたことを特徴としている。
【００１４】
請求項２に記載の発明は、請求項１に記載の発明において、前記ローダーシャーシの底
板部のケーブル挿通孔から前側のケーブル対向部分が前記ガイド部材に向かって所定の傾
斜角度で斜め上向きに傾斜されており、その傾斜状ケーブル対向部分の下面に両面接着テ
ープを介してフレキシブルフラットケーブルが接着されていることを特徴としている。
【発明の効果】
【００１５】
請求項１に記載の発明によれば、ディスクの最外周まで光ピックアップを後進させたと
きに、ガイド部材でフレキシブルフラットケーブルの他端部を上方にガイドしているため
、その他端部の円弧状折り返し部分の曲率半径が従来に比べて大きくなっており、その円
弧状折り返し部分が比較的ゆるやかに曲げられている。このため、前述したフルシーク２
０万回耐久試験を行った場合でも、フレキシブルフラットケーブルと光ピックアップとの
境界部分でそのフレキシブルフラットケーブルに対して繰り返しかかる曲げ応力が従来に
比べて小さくなり、その境界部分で断線が生じることがなく、そのフレキシブルフラット
ケーブルの耐久性を向上させることができる。
【００１６】
しかも、所定の傾斜角度で斜め上向きに延びる仮想線に沿って傾斜させた両ガイド横板
及びガイド縦板のケーブル対向面でフレキシブルフラットケーブルの他端部を安定的に３
点支持しているので、そのフレキシブルフラットケーブルの他端部を円滑に押し上げるこ
とができる。
【００１７】
また、前記ガイド縦板が光ピックアップの前後進方向とは直交する方向に沿って延ばさ
れているので、該ガイド縦板によりフレキシブルフラットケーブルの他端部のほぼ中央部
をその幅方向に沿って傾かないように確実に支持することができる。
【００１８】
更に、前記ガイド縦板及び両ガイド横板がローダーシャーシに一体突設されているので
、部品点数が増加せず、経済性にも優れている。
【００１９】
請求項２に記載の発明によれば、ローダーシャーシの底板部のケーブル挿通孔から前側
のケーブル対向部分が傾斜されているので、その傾斜に沿ってフレキシブルフラットケー
ブルを容易に配線することができる。
【００２０】
また、傾斜状ケーブル対向部分の下面に両面接着テープを介してフレキシブルフラット
ケーブルが接着されているので、例えば組立時に、該フレキシブルフラットケーブルに過
度の引張力が作用したとしても、その引張力によりフレキシブルフラットケーブルの両端
部が制御基板や光ピックアップから不測に引き離されることがなく、そのフレキシブルフ
ラットケーブルによる制御基板と光ピックアップとの接続状態を確実に維持することがで
きる。
【発明を実施するための最良の形態】
【００２１】
図１〜図４は本発明の実施の一形態であるディスク装置を示すものであって、図１は同
平面図、図２は同縦断面図、図３は同要部の拡大縦断面図、図４（ａ）は同要部の部分拡
大斜視図、図４（ｂ）は同要部の部分拡大縦断面図、図４（ｃ）は同要部の部分拡大平面
図である。
【００２２】
図１〜図３に示すように、制御基板２３と光ピックアップ３とを接続するフレキシブル
フラットケーブルＦＦＣの他端部を上方にガイドしてその他端部の円弧状折り返し部分Ｆ
ＦＣａの曲率半径ｒ２を大きくするためのガイド部材３０がローダーシャーシ５の底板部
５Ａに一体形成されている。上記以外の構成は図５〜図７に示す構成とほぼ同じであるか
ら、同一部分に同一符号を付してその説明を省略する。
【００２３】
図４に示すように、前記ガイド部材３０は、光ピックアップ３の移動方向ｉ，ｊとは直
交する方向に沿って延びる正面視矩形状ガイド縦板３１と、該ガイド縦板３１の両側縁か
ら光ピックアップ３の移動方向ｉ，ｊに沿って前方に延びる左右一対のガイド横板３２と
からなり、該両ガイド横板３２が側面視略三角形状に形成されてそのケーブル対向面３２
ａが該両ガイド横板３２の前端からガイド縦板３１に向かって所定の傾斜角度α（例えば
３５°）で斜め上向きに延びる仮想線Ｓに沿って傾斜され、その仮想線Ｓに沿って前記ガ
イド縦板３１の上端に斜め傾斜状のケーブル対向面３１ａが形成されている。
【００２４】
上記構成において、図３に実線で示すように、ディスクＤの最内周に位置する光ピック
アップ３を該ディスクＤの最外周まで後進ｊさせると、図３に仮想線で示すように、フレ
キシブルフラットケーブルＦＦＣの他端部が両ガイド横板３２のケーブル対向面３２ａか
らガイド縦板３１のケーブル対向面３１ａに接して上方にガイドされて押し上げられ、そ
の他端部の円弧状折り返し部分ＦＦＣａの曲率半径ｒ２を大きくしている。
【００２５】
上記構成によれば、ディスクＤの最外周まで光ピックアップ３を後進ｊさせたときに、
ガイド部材３０でフレキシブルフラットケーブルＦＦＣの他端部を上方にガイドしている
ため、その他端部の円弧状折り返し部分ＦＦＣａの曲率半径ｒ２が従来に比べて大きくな
っており、その円弧状折り返し部分ＦＦＣａが比較的ゆるやかに曲げられている。このた
め、前述したフルシーク２０万回耐久試験を行った場合でも、フレキシブルフラットケー
ブルＦＦＣと光ピックアップ３との境界部分ＰでそのフレキシブルフラットケーブルＦＦ
Ｃに対して繰り返しかかる曲げ応力が従来に比べて小さくなり、その境界部分Ｐで断線が
生じることがなく、そのフレキシブルフラットケーブルＦＦＣの耐久性を向上させること
ができる。
【００２６】
また、所定の傾斜角度αで斜め上向きに延びる仮想線Ｓに沿って傾斜させた両ガイド横
板３２及びガイド縦板３１のケーブル対向面３１ａ，３２ａでフレキシブルフラットケー
ブルＦＦＣの他端部を安定的に３点支持しているので、そのフレキシブルフラットケーブ
ルＦＦＣの他端部を円滑に押し上げることができる。
【００２７】
図４（ｃ）に示すように、ガイド縦板３１が光ピックアップ３の移動方向ｉ，ｊとは直
交する方向に沿って延ばされ、該ガイド縦板３１の横幅ｈ１がフレキシブルフラットケー
ブルＦＦＣの横幅ｈ２よりも小さく設定されているので、該ガイド縦板３１によりフレキ
シブルフラットケーブルＦＦＣの他端部のほぼ中央部をその幅方向に沿って傾かないよう
に確実に支持することができる。
【００２８】
図３及び図４（ａ）に示すように、各ガイド横板３２の上部を切欠いて、該各ガイド横
板３２のケーブル対向面３２ａとガイド縦板３１のケーブル対向面３１ａとの間に凹部３
３が形成されており、フレキシブルフラットケーブルＦＦＣに対するガイド部材３０の接
触面積を減少させて接触抵抗を小さくしているので、そのフレキシブルフラットケーブル
ＦＦＣを上方に円滑にガイドできる。
【００２９】
また、ガイド縦板３１及び両ガイド横板３２がローダーシャーシ５に一体突設されてい
るので、部品点数が増加せず、経済性にも優れている。
【００３０】
図３に示すように、ローダーシャーシ５の底板部５Ａのケーブル挿通孔２６よりも後部
を所定間隔ｔ（例えば４ｍｍ）だけ高く設定することにより、該ケーブル挿通孔２６から
前側のケーブル対向部分５ａがガイド部材３０に向かって所定の傾斜角度β（例えば５°
）で斜め上向きに傾斜されており、その傾斜状ケーブル対向部分５ａの下面に両面接着テ
ープ３４を介してフレキシブルフラットケーブルＦＦＣが接着されている。
【００３１】
上記構成によれば、ローダーシャーシ５の底板部５Ａのケーブル挿通孔２６から前側の
ケーブル対向部分５ａが傾斜されているので、その傾斜に沿ってフレキシブルフラットケ
ーブルＦＦＣを容易に配線することができる。
【００３２】
また、傾斜状ケーブル対向部分５ａの下面に両面接着テープ３４を介してフレキシブル
フラットケーブルＦＦＣが接着されているので、例えば組立時に、該フレキシブルフラッ
トケーブルＦＦＣに過度の引張力が作用したとしても、その引張力によりフレキシブルフ
ラットケーブルＦＦＣの両端がコネクタ２７，２８から不測に引く離されることがなく、
そのフレキシブルフラットケーブルＦＦＣによる制御基板２３と光ピックアップ３との接
続状態を確実に維持することができる。
【図面の簡単な説明】
【００３３】
【図１】本発明の実施の一形態であるであるディスク装置を示す平面図である。
【図２】同縦断面図である。
【図３】同要部の拡大縦断面図である。
【図４】（ａ）は同要部の部分拡大斜視図、（ｂ）は同要部の部分拡大縦断面図、（ｃ）は同要部の部分拡大平面図である。
【図５】従来例を示す平面図である。
【図６】同縦断面図である。
【図７】同要部の拡大縦断面図である。
【符号の説明】
【００３４】
１        ターンテーブル
３        光ピックアップ
４        トラバースシャーシ
５        ローダーシャーシ
５Ａ      ローダーシャーシの底板部
５ａ      底板部のケーブル対向部分
２３      制御基板
２６      ケーブル挿通孔
３０      ガイド部材
３１      ガイド縦板
３１ａ    ガイド縦板のケーブル対向面
３２      ガイド横板
３２ａ    ガイド横板のケーブル対向面
３４      両面接着テープ
Ｄ        ディスク
ＦＦＣ    フレキシブルフラットケーブル
ＦＦＣａ  フレキシブルフラットケーブルの円弧状折り返し部分
Ｓ        仮想線
ｉ，ｊ    前後進
【図１】
0004508250.tif 000002
【図２】
0004508250.tif 000003
【図３】
0004508250.tif 000004
【図４】
0004508250.tif 000005
【図５】
0004508250.tif 000006
【図６】
0004508250.tif 000007
【図７】
0004508250.tif 000008